(57)【要約】【課題】      釣具の針をトンネル状の針通し部の孔に挿通する釣り用係止具は、釣具によっては取り付けが困難であったり、暗い釣り場ではすぐに取り付けができないことである。【解決手段】  釣り用係止具１はバッグ６のナイロン等の合成樹脂繊維の織布で形成された収納部６ａの外側面に設けられており、収納部６ａの外側面には中央に表裏に貫通する孔３を有する保持体４が添設されており、その孔３内に保持されて収納された針の差し止め部材２の一部が孔３から外方に向かって突出し、釣り具の針部が容易に係止できるようになっている。【選択図】        図２
2007037471.tif 000002
【特許請求の範囲】
【請求項１】
ベース体に孔を設け、該孔に少なくともその一部が突出するように針の差し止め部材を収納したことを特徴とする釣り用係止具。
【請求項２】
孔は針の差し止め部材より硬い材料からなる保持体に設け、この保持体をベース体に取り付けることで形成したことを特徴とする請求項１記載の釣り用係止具。
【請求項３】
針の差し止め部材は発泡材からなることを特徴とする請求項１または２記載の釣り用係止具。
【請求項４】
孔に収納した針の差し止め部材は孔からの抜け止め手段で保持されていることを特徴とする請求項１乃至３記載の釣り用係止具。
【発明の詳細な説明】
【技術分野】
【０００１】
本発明は、釣具や釣りに用いられる小物類を釣り用バッグや釣り服に係止できるようにした釣り用係止具に関する。
【背景技術】
【０００２】
従来、釣具や釣りに用いられる小物類を釣り用バッグや釣り服に係止しようとしても、例えば、止着用の針が刺しにくかったり、また、布地等の場合は穴が開いてしまうため止着が困難であった。
このため、特許文献１のようにあらかじめトンネル状に孔が開けられた針通し部が形成されたものが紹介されている。
【特許文献１】特開２００２−２３５２２５号公報
【発明の開示】
【発明が解決しようとする課題】
【０００３】
ところが、上記特許文献１のようにトンネル状に孔が開けられた針通し部が形成されて差し込むところが予め決められている釣り用係止具は、例えば、係止しようとするピンオンリール等の針をトンネル状の針通し部の孔に正確に挿通しなければならないため、釣具によっては取り付けが困難であったり、暗い釣り場ではすぐに取り付けができないという問題がある。
【０００４】
解決しようとする課題は、釣具の針をトンネル状の針通し部の孔に正確に挿通しなければならないため、釣具によっては取り付けが困難であったり、暗い釣り場ではすぐに取り付けができないことである。
【０００５】
本発明の目的は前記欠点に鑑み、釣具の取り付けが容易で、暗い釣り場でもすぐに取り付けができる釣り用係止具を提供することである。
【課題を解決するための手段】
【０００６】
上記課題を解決するために、
請求項１に係わる本発明は、ベース体に孔を設け、該孔に少なくともその一部が突出するように針の差し止め部材を収納したことを要旨とするものである。
請求項２に係わる本発明は、孔は針の差し止め部材より硬い材料からなる保持体に設け、この保持体をベース体に取り付けることで形成したことを要旨とするものである。
請求項３に係わる本発明は、針の差し止め部材は発泡材からなることを要旨とするものである。
請求項４に係わる本発明は、孔に収納した針の差し止め部材は孔からの抜け止め手段で保持されていることを要旨とするものである。
【発明の効果】
【０００７】
本発明により、釣具の取り付けが容易で、暗い釣り場でもすぐに取り付けができる釣り用係止具が得られる。
【発明を実施するための最良の形態】
【０００８】
以下、本発明の実施形態を図面に基づき説明すると、図１は本発明の釣り用係止具が用いられたウエストバッグの全体図、図２は本発明の釣り用係止具の拡大断面図、図３は釣り用係止具の変形例である。
【０００９】
本願の釣り用係止具１は、図１、図２のバッグ６に設けられた例で説明すると、まずバッグ６は、チャック９で開閉可能な開口８を形成した収納部６ａと携帯時に腰に取り付けるためのウエストベルト７を有し、ウエストベルト７は体の正面で着脱自在に係合する止め具７ａが設けられている。
【００１０】
釣り用係止具１はバッグ６のナイロン等の合成樹脂繊維の織布で形成された収納部６ａの外側面に設けられており、収納部６ａの外側面には中央に表裏に貫通する孔３を有する保持体４が添設されており、その孔３から針の差し止め部材２が外方に向かって突出している。
【００１１】
針の差し止め部材２は折り曲げが可能な柔軟性を有するゴムや合成樹脂の発泡材のシートで形成され、その表面にナイロンやポリプロピレン等合成樹脂繊維の織布等から成るの布帛２ａが添着されている。
この針の差し止め部材２を布帛２ａが表側になるように折曲して収納部６ａの外側面に添付した状態で孔３内に収納され、さらに折り曲げ部分が孔３に挿通されて外側面側に突出するようにして保持体４が収納部６ａの外側面に添設されている。
【００１２】
保持体４は収納部６ａの外側面に添設された状態で縫着部５によってその外周縁部と孔３の周縁部が収納部６ａの外側面に止着されており、孔３の周縁部の縫着部５は針の差し止め部材２を貫通して収納部６ａの外側面に止着されて針の差し止め部材２を収納部６ａと保持体４に止着している。
【００１３】
従って、針の差し止め部材２は収納部６ａの外側面と保持体４の間に狭持されてそこに介在して縫着部５によって移動が防止され、孔３から突出した状態のまま孔３に収納されて孔３からの抜け止めがなされており、一方、孔３に差し込まれた針の差し止め部材２は保持体４による押圧によって膨出状態（緊張状態）で孔３から外方へ孔３に合致した形状で突出する。
【００１４】
針の差し止め部材２はその表面側にナイロンやポリプロピレン等合成樹脂繊維の織布等から成るの布帛２ａが添着されて接着されており針の差し止め時に表面が裂けてしまう等の破損が防止されている。
【００１５】
保持体４は、合成樹脂や皮革等の針の差し止め部材２より硬い材料で形成し、突出した針の差し止め部材２が湾曲形状になっているのに対し、これよりその外表面側を平面状に形成する。
したがって、保持体４は、針の差し止め部材２より針が刺さりにくく、保持体４に誤って刺さってしまうことが防止され、針の差し止め部材２の方へ案内される。
したがって、針の差し止め部材２を手探りで探しても針の差し止め部材２の突出した部分によりすぐに針の差し止め部材２を設けた場所を探し出すことができ、ピンオンリール１０等の釣具の止着用の針１０ａを刺し通して容易に取り付けることができる。
なお、ピンオンリール１０等には釣り糸切断具１１等の小道具が装着される。
【００１６】
このような釣り用係止具１にピンオンリール１０を取り付けるときは、針の差し止め部材２の保持体４の孔３から突出した部分に任意の方向から差し止めることができるため取り付けが容易で暗い釣り場においても手探りで取り付けができる。
また。針の差し止め部材２がゴムや合成樹脂の発泡材であるためその弾性により変形して差し止めた針が引かれても針が変形したり、針の差し止め部材２が破損されることが防止される。
【００１７】
しかも、針の差し止め部材２の表面側の合成樹脂繊維の織布等で形成された布帛２ａによって針を引き抜くときは、布帛２ａへの貫通部によって針が保持されるため針の差し込み方向の逆方向に引き抜くこととなるため、このことによっても針の差し止め部材２を引き裂き方向に針を抜くことが防止され破損が防止される。
【００１８】
図３は、図２の釣り用係止具１の変形例で、保持体４は収納部６ａの外側面に沿って布帛２ａを介して添設された状態で縫着部５によってその外周縁部と孔３の周縁部が収納部６ａの外側面に止着されている。
保持体４は、中央に孔３を有し、この孔３内にゴムや合成樹脂針の発泡材からなる針の差し止め部材２が収納されている。
針の差し止め部材２は保持体４が収納部６ａの外側面に止着されたとき介在させた布帛２ａによって覆われてこれが抜け止めとなり、収納部６ａの外側面に押圧され、緊張状態でその一部が孔３から突出しながら孔３内に抜け止めされて保持されている。
【００１９】
布帛２ａは針の差し止め部材２に止着されておらず、この針の差し止め部材２は孔３内で回動や移動が可能であり、また、布帛２ａを緩めた状態にすると針の差し止め部材２孔３から突出が大きくなり、布帛２ａの張りを強くすると突出を小さくできる。
従って、針の保持が甘くなったときは孔３から突出した部分を押してその位置や方向を変えることができ、また、係止する釣具によって針の差し止め部材２の突出状体を調節して形成できる。
【００２０】
この釣り用係止具ではピンオンリール１０に代わりルアー１２の釣り針１２ａを係止したが、釣りをしている最中にウエストバッグ６にルアー１２を係止しておくことで、タックルケースを取り出してしまう手間が省け、暗い釣り場で手探りで孔３から突出した針の差し止め部材２を探し係止することが可能である。
その他は図２に示した釣り用係止具１と同じである。
【００２１】
なお、孔３を保持体４に設けたが、バッグ６の収納部６ａの外側面に一体に形成してもよく、この場合、収納部６ａの外側面を針の差し止め部材２より硬い材料で形成するとよい。
また、釣り用係止具１をウエストバッグに設けた例で説明したが、釣りに使用するバッグの他に図４のように釣り服１３に設けてもよく、ウエストバッグに設けた例と同様にピンオンリールやルアー等の釣具を身近に取り付けておくことができ釣りの様々な操作をスムーズに行うことができる。
【００２２】
以上、本発明の実施形態について説明したが、以上の実施形態に限定されることなく、種々変形することが可能である。
【産業上の利用可能性】
【００２３】
本発明は、釣り用バッグや釣り服に利用できる。
【図面の簡単な説明】
【００２４】
【図１】本発明の釣り用係止具が用いられたウエストバッグの全体図である。
【図２】本発明の釣り用係止具の拡大断面図である。
【図３】本発明の釣り用係止具の変形例である。
【図４】本発明の釣り用係止具を釣り服に用いた図ある。
【符号の説明】
【００２５】
１  釣り用係止具
２  針の差し止め部材
２ａ  布帛
３  孔
４  保持体
５  縫着部
６  バッグ
【図１】
2007037471.tif 000003
【図２】
2007037471.tif 000004
【図３】
2007037471.tif 000005
【図４】
2007037471.tif 000006